(57)【要約】【課題】電気掃除機において、フィルターの目詰まりを防止すること。【解決手段】ホースと連通する連通孔７と電動送風機の吸引口に対向して設けられ開口部７Ａとを有する本体部８と、開口部７Ａを覆い吸引風の粗い塵埃を除去する第一のフィルター９と、その下流側で細かい塵埃を除去する第二のフィルター１１とを備え、連通孔７の略後方部分には第一のフィルター９を配置せず、連通孔７から吸引された吸引風を、第一のフィルター９を通過して第二のフィルター１１へ向かう通路と、第一のフィルター９を通過せずに第二のフィルター１１へ向かう通路とに分離するもので、吸引された空気と塵埃は分離されたどちらか一方側に多く流れ、第一、第二のフィルター９、１１共に片側から多く塵埃が付着することとなり、逆にもう片側は塵埃の付着量が少ないためフィルターの通気性を長く維持して、集塵ボックス４の内容量を有効に利用できるようになる。【選択図】図２
2009072401.tif 000002
【特許請求の範囲】
【請求項１】
掃除機本体の前部に設けた吸入口と、前記吸入口の後方に位置し集塵ボックスを収納する集塵ボックス収納部と、前記集塵ボックス収納部の後方に配置された電動送風機とを備え、前記集塵ボックスは、前記吸入口に挿入されるホースと連通する為の連通孔と前記電動送風機の吸引口に対向して設けられ開口部とを有する本体部と、前記開口部を覆い吸引された空気の粗い塵埃を除去する第一のフィルターと、その下流側で細かい塵埃を除去する第二のフィルターとを有すると共に、前記連通孔の略後方部分には前記第一のフィルターを配置せず、前記連通孔から集塵ボックス内に吸引された吸引風が、前記第一のフィルターを通過して第二のフィルターへ向かう通路と、前記第一のフィルターを通過せずに第二のフィルターへ向かう通路とに分離される構成としたことを特徴とする電気掃除機。
【請求項２】
第一のフィルターが配置されていない、連通孔の略後方部分に、前記連通孔側に向かってつき出した凸部を設け、前記凸部の側面に塵埃通過のための複数の孔を形成した請求項１記載の電気掃除機。
【請求項３】
凸部の形状を、吸引風がその表面を流れ易い略山型とした請求項２に記載の電気掃除機。
【請求項４】
凸部の略後方部分には、第二のフィルターを配置せず、電動送風機とは連通しない空間部とした請求項２または３に記載の電気掃除機。
【発明の詳細な説明】
【技術分野】
【０００１】
本発明は、電気掃除機の特に集塵ボックスに関するものである。
【背景技術】
【０００２】
従来の電気掃除機の集塵方法として、使い捨ての紙パックを利用するものと、再利用可能な集塵ボックスを利用するものとがあるが、近年、経済的な集塵ボックスを利用した電気掃除機が増えている。中でも、簡単な構造の集塵ボックスとして、本体部とフィルターを有する蓋部とからなるものがある（例えば、特許文献１参照）。
【特許文献１】特開２００５−２３７８６０号公報
【発明の開示】
【発明が解決しようとする課題】
【０００３】
しかしながら、前記従来の構成では、集塵ボックスの後面全体を覆うようにフィルターを構成することで塵埃が付着することによる目詰まりを防止しようとしているが、実際には集塵ボックスの前面に設けた連通穴から吸引された空気はフィルターに直接当たりそのままフィルターの表面に堆積していくので、ある程度の集塵量で目詰まりを起こしてしまう。
【０００４】
その対策としてフィルターを上下に設けてフィルターの面積を大きくすることで目詰まりを防止し、より集塵量を大きくする方法が提案されているが、このような構成をとると集塵ボックスが大きくなり、それを収納する電気掃除機本体も大型化するという課題があった。
【０００５】
本発明は、前記従来の課題を解決するもので、集塵ボックスを大きくすることなく、フィルターの目詰まりを防止することで、集塵ボックスの内容量を有効に利用することを可能とするもので、従来と同等の集塵量を確保しつつ集塵ボックスの小型化が可能となり、電気掃除機そのものの小型化を可能とすることを目的とする。
【課題を解決するための手段】
【０００６】
前記従来の課題を解決するために、本発明の電気掃除機は、掃除機本体の前部に設けた吸入口と、前記吸入口の後方に位置し集塵ボックスを収納する集塵ボックス収納部と、前記集塵ボックス収納部の後方に配置された電動送風機とを備え、前記集塵ボックスは、前記吸入口に挿入されるホースと連通する為の連通孔と前記電動送風機の吸引口に対向して設けられ開口部を有する本体部と、前記開口部を覆い吸引された空気の粗い塵埃を除去する第一のフィルターと、その下流側で細かい塵埃を除去する第二のフィルターとを有すると共に、前記連通孔の略後方部分には前記第一のフィルターを配置せず、前記連通孔から集塵ボックス内に吸引された吸引風が、前記第一のフィルターを通過して第二のフィルターへ向かう通路と、前記第一のフィルターを通過せずに第二のフィルターへ向かう通路とに分離される構成としたもので、吸引風は電動送風機に近く圧損の低い側に流れようとするため吸引された空気と塵埃は分離されたどちらか一方側に多く流れることとなる。そのため第一のフィルター、第二のフィルター共に片側から多く塵埃が付着することとなる。逆にもう片側は塵埃の付着量が少ないためフィルターの通気性を長く維持することができるようになるため、集塵ボックスの内容量を有効に利用でき、集塵ボックスの小型化、ひいては電気掃除機本体の小型化が可能となる。
【発明の効果】
【０００７】
本発明によれば、フィルターの目詰まりを起こし難く、フィルターの通気性を長時間維持することが可能となるので、集塵ボックスの内容量を有効に利用できる電気掃除機を提供できる。
【発明を実施するための最良の形態】
【０００８】
第１の発明は、掃除機本体の前部に設けた吸入口と、前記吸入口の後方に位置し集塵ボックスを収納する集塵ボックス収納部と、前記集塵ボックス収納部の後方に配置された電動送風機とを備え、前記集塵ボックスは、前記吸入口に挿入されるホースと連通する為の連通孔と前記電動送風機の吸引口に対向して設けられ開口部とを有する本体部と、前記開口部を覆い吸引された空気の粗い塵埃を除去する第一のフィルターと、その下流側で細かい塵埃を除去する第二のフィルターとを有すると共に、前記連通孔の略後方部分には前記第一のフィルターを配置せず、前記連通孔から集塵ボックス内に吸引された吸引風が、前記第一のフィルターを通過して第二のフィルターへ向かう通路と、前記第一のフィルターを通過せずに第二のフィルターへ向かう通路とに分離される構成としたもので、吸引風は電動送風機に近く圧損の低い側に流れようとするため吸引された空気と塵埃は分離されたどちら一方側に多く流れることとなる。そのため第一のフィルター、第二のフィルター共に片側から多く塵埃が付着することとなる。逆にもう片側は塵埃の付着量が少ないためフィルターの通気性を長く維持することができるため、集塵ボックスの内容量を有効に利用できるようになり、集塵ボックスの小型化、ひいては、電気掃除機本体の小型化が可能となる。特に、連通孔から吸引された空気と塵埃は連通孔から集塵ボックス内に吸引された後、流れの勢いにより直線的に流れるため、一番に第一のフィルターが配置されていない、連通孔の略後方部分に流れる。そのため連通孔の略後方部分の通路へ塵埃が多く流れることとなり、より効率的に流れを分離できるものである。
【０００９】
第２の発明は、第１の発明の第一のフィルターが配置されていない、連通孔の略後方部分に、前記連通孔側に向かってつき出した凸部を設け、前記凸部の側面に塵埃通過のための複数の孔を形成したもので、吸引された塵埃と吸引風は凸部の側面を流れ第一のフィルターに当たり集塵ボックス内全体に流れるため、凸部側面を流れる塵埃は、質量の重い粗ごみは流れの勢いにより孔に流入し難く、質量の軽い細かい塵埃は空気と共に孔を通過する。これにより細かい塵埃の多くが第二のフィルターの連通穴後方に分離された側に多く流れるため、第二のフィルターのその他の部分には細かい塵埃が付着し難くなり通気性を長く維持することができる。
【００１０】
第３の発明は、第２の発明の凸部の形状を、吸引風がその表面を流れ易い略山型としたもので、山型形状とすることで、吸引風と塵埃が、孔を設けられた凸部の側面に当たりやすくなる。こうすることで、孔を通過しやすい細かい塵埃はそのまま直接第二のフィルターへ流れ、逆に通過し難い粗ごみは山の側面から勢いよく第一のフィルター側へ流れる。このため第２の発明の効果に加えて、第一のフィルターの表面に付着した塵埃を吹き飛ばす効果が得られるようになり、よりフィルターの通気性を長く維持することができるようになる。
【００１１】
第４の発明は、第２または第３の発明の凸部の略後方部分には、第二のフィルターを配置せず、電動送風機とは連通しない空間部としたもので、細かい塵埃が吸引風の流れの勢いにより、吸引風を分流する通路の連通穴後方部分へ流れやすい構成となるため、吸引風を分流する通路の連通穴後方部側の第二のフィルターを廃止し、より安価な掃除機を提供できるようになるものである。
【００１２】
以下、本発明の実施の形態について、図面を参照しながら説明する。なお、この実施の形態によって本発明が限定されるものではない。
【００１３】
（実施の形態１）
本発明の第１の実施の形態について、図１〜図３を用いて説明する。
【００１４】
図１に示すように、掃除機本体１と、掃除機本体１の前方に設けた吸入口２に接続されるホースその他手元、床用ノズル（図示せず）と、掃除機本体１には、塵埃を吸引するための電動送風機３と塵埃を集塵する集塵ボックス４が内蔵されている。
【００１５】
図に示すように、掃除機本体１は前方に吸入口２を有する集塵ボックス収納部５と後方に吸引風を吸込む、吸引口３Ａを構成した電動送風機３を有する電動送風機室（図示しない）を具備し、吸入口２には掃除機本体１とホースとのエアータイト用のパッキン２Ａを具備している。また、集塵ボックス収納部５上方は開放状態となっている。６は掃除機本体にその後方部を支点として回動自在に設けた集塵ボックス収納部蓋体で、集塵ボックス収納部５の上方開口部を覆うものである。集塵ボックス収納部５内には、集塵ボックス４が収納されている。集塵ボックス４の構成は、前方に連通孔７が設けられ、後方に開口部７Ａを有する本体部８と、本体部８の後方の開口部７Ａを覆うように、メッシュもしくは多孔質に形成された薄板状の第一のフィルター９を形成した蓋体Ａ１０と、その下流にプリーツ加工された第二のフィルター１１を形成する蓋体Ｂ１２が後述のヒンジを介して回動自在に本体部８に保持されている。
【００１６】
また、蓋体Ａ１０の回動軸部１４ａと蓋体Ｂ１２の回動軸部１４ｂは本体部８の軸部１５に同心軸にて係止されている。さらに、蓋体Ａ１０、蓋体Ｂ１２は系止部１６に本体部８の爪１７が引っ掛ることで本体部８に固定され使用時の形態となる。このとき、蓋体Ａ１０の外周前後に形成された、タイトパッキンＡ１８により、本体部８と蓋体Ｂ１２とがエアータイトされる構成となっている。集塵ボックス４と集塵ボックス収納部５とのエアータイトは前方をパッキンＡ４と本体部８、後方を蓋体Ｂ１２と集塵ボックス収納部５の壁に形成されたタイトパッキンＢ１９によりタイトされたものである。なお、タイトパッキンＡ１８と、タイトパッキンＢ１９、パッキンＡ４はタイト構成として使用される部品でありそれぞれのパッキンが当接するいずれかの部品に構成されてもタイト構成できる。
【００１７】
図２に示すように集塵ボックス４内部の連通孔７の略後方部で第一のフィルター９と第二のフィルター１１の間で吸気の通路を通路Ａ２０と通路Ｂ２１とに分割して形成し、また第一のフィルター９前方で通路Ｂ２１に連通するように凸部２２とその凸部２２の側面に複数個の細塵通路（孔）２３が形成されたものである。
【００１８】
以上のように構成された電気掃除機について、以下その動作、作用を説明する。
【００１９】
図２に示すように、電動送風機３の吸引風により、塵埃は、吸入口２、連通穴７を通過し集塵ボックス４の本体部８に到達する。通路Ａ２０と通路Ｂ２１とを設けることで吸引風は電動送風機に近く圧損の低い側に流れようとするため吸引された空気と塵埃は分離されたどちらか一方側に多く流れることとなる。そのため第一のフィルター９、第二のフィルター１１に片側から多く塵埃が付着することとなる。また、吸引風の入り口である連通孔７の後方部に凸部２２を設けることで連通孔７から吸引された塵埃と吸引風は凸部２２の側面を流れ第一のフィルター９に当たり集塵ボックス４内全体に流れるため、凸部２２側面を流れる塵埃は質量の重い粗ごみは流れの勢いにより、細塵通路２３に流入し難く、質量の軽い細かい塵埃は空気と共に細塵通路２３を通過する。これにより細かい塵埃の多くが第二のフィルター１１の連通孔７後方に分離された通路Ｂ２１側に多く流れるため、第二のフィルター１１のその他の通路Ａ２０側には細かい塵埃が付着し難くなり通気性を長く維持することができるようになる。
【００２０】
（実施の形態２）
次に、本発明の第２の実施の形態について、図３を用いて説明する。図３は、図２と同様に、集塵ボックス４の側面断面図を示すものであり、通路Ｂ２１の前方に山型形状の凸部２４とその側面に細塵通路（孔）２３を構成したものである。
【００２１】
この構成によると、実施例１の効果に加えて、凸部２４を山型形状とすることで吸引風と塵埃が細塵通路２３を設けた凸部２４の側面に当たりやすくなる。こうすることで、細塵通路２３を通過しやすい細かい塵埃はそのまま通路Ｂ２１を通り直接第二のフィルター１１へ流れ、逆に通過し難い粗ごみは、山型形状の凸部２４の側面から勢いよく第一のフィルター９側へ流れる。このため第一のフィルター９の表面に付着した塵埃を吹き飛ばす効果が得られよりフィルターの通気性を長く維持することができるようになる。
【００２２】
（実施の形態３）
次に、本発明の第３の実施の形態について、図４を用いて説明する。図４は、図２、３と同様に集塵ボックスの側面断面図を示すものであり、連通孔７の後方の通路Ｂ２１に、フィルター等を配置せずに電動送風機３に連通しない空間部としたものである。
【００２３】
この構成によると、実施例１、２の効果に加えて、吸引風の流れの勢いにより細かい塵埃が通路Ｂ２１側へ流れ込み易い構成となっているため、通路Ｂ２１側を細塵が溜まるだけの細塵室２５の空間として、フィルターを廃止し、より安価な掃除機を提供できるようになるものである。
【図面の簡単な説明】
【００２４】
【図１】本発明の実施の形態１における電気掃除機の要部断面図
【図２】同電気掃除機の図１におけるＢ−Ｂ断面図
【図３】本発明の実施の形態２における電気掃除機の図１のＢ−Ｂ断面図
【図４】本発明の実施の形態３における電気掃除機の図１のＢ−Ｂ断面図
【符号の説明】
【００２５】
１    掃除機本体
２    吸入口
３    電動送風機
３Ａ  吸引口
４    集塵ボックス
５    集塵ボックス収納部
７    連通孔
７Ａ  開口部
８    本体部
９    第一のフィルター
１０  蓋体Ａ
１１  第二のフィルター
１２  蓋体Ｂ
２０  通路Ａ
２１  通路Ｂ
２２、２４  凸部
２３  細塵通路（孔）
【図１】
2009072401.tif 000003
【図２】
2009072401.tif 000004
【図３】
2009072401.tif 000005
【図４】
2009072401.tif 000006